(57)【特許請求の範囲】
【請求項１】
高周波信号と局部発振信号とを混合して中間周波信号を出力するミキサーと、
前記局部発振信号をフィルタリングするフィルタと前記ミキサーとの間に接続され、前記高周波信号の１／４波長の長さを有する１／４波長線路と、
前記１／４波長線路と前記ミキサーとを接続する線路に一端が接続され、前記高周波信号の１／４波長の長さを有する開放線路である１／４波長開放線路に他端が接続された終端抵抗とを有する終端抵抗付き開放線路と、
を備えるミキサー回路。
【請求項２】
高周波信号と局部発振信号とを混合して中間周波信号を出力するミキサーと、
前記局部発振信号をフィルタリングするフィルタと前記ミキサーとの間に接続され、前記高周波信号の１／４波長の長さを有し、抵抗がＲΩである１／４波長線路と、
前記１／４波長線路と前記ミキサーとを接続する線路に一端が並列に接続され、前記高周波信号の１／４波長の長さを有する開放線路である１／４波長開放線路に他端が接続されたｎ×ＲΩの終端抵抗とを有するｎ組の終端抵抗付き開放線路と、
を備えるミキサー回路。
【発明の詳細な説明】
【技術分野】
【０００１】
本発明は、高周波信号と局部発振信号とを混合して中間周波信号を出力するミキサー回路に関する。
【背景技術】
【０００２】
高周波信号を中間周波信号に変換する周波数変換機であるミキサー回路においては、図４に示すように、ミキサー１０６と局部発振信号（以下、局発信号と呼ぶ。）の信号発振源１０１との間に、例えばカップルドラインバンドパスフィルタのようなフィルタを接続し、熱雑音などの雑音による雑音指数の悪化を防いでいた。
【０００３】
しかし、構成部品や線路の抵抗を統一しても高周波信号の反射が不可避的に起こり、ミキサー回路の変換損失が悪化する。図５に示すように局発信号の帯域Ａ以外の部分、特に高周波信号帯域Ｂにおいて、局発信号の反射損失（点線により示す。実線は局発信号の挿入損失を表す。）が大きくなるという問題点があった。
【０００４】
この点に関し、フィルタとミキサーの間にコンデンサとインダクタによって構成される整合回路を接続し、局発信号の反射損失を抑える技術が提案されている（例えば、特許文献１）。
【特許文献１】特開平１１−８８０６０号公報
【発明の開示】
【発明が解決しようとする課題】
【０００５】
しかし、特許文献１に記載の技術によっても局発信号の反射損失を十分に低く抑えることができないという問題点があった。
【０００６】
本発明は上記のような問題点に鑑みてなされたものであり、雑音指数の悪化を防止すると同時にミキサーの変換損失の悪化を防止するミキサー回路を提供することを目的とする。
【課題を解決するための手段】
【０００７】
この目的を達成するために本発明は、高周波信号と局発信号とを混合して中間周波信号を出力するミキサーと；局発信号をフィルタリングするフィルタとミキサーとの間に接続され、高周波信号の１／４波長の長さを有する１／４波長線路と；１／４波長線路とミキサーとを接続する線路に一端が接続され、高周波信号の１／４波長の長さを有する開放線路である１／４波長開放線路に他端が接続された終端抵抗とを有する終端抵抗付き開放線路と；を備えるミキサー回路を提供する。
【発明の効果】
【０００８】
本発明によれば、１／４波長線路に並列に接続された終端抵抗付き開放線路の抵抗が反射した高周波信号を熱エネルギーに変換する。このため、本発明のミキサー回路は雑音指数の悪化を防止すると同時にミキサーの変換損失の悪化を防止することが可能であるという効果がある。
【発明を実施するための最良の形態】
【０００９】
以下、本発明によるミキサー回路の一実施の形態を、図面を用いて詳細に説明する。
【００１０】
＜実施形態の詳細＞
図１は、本実施形態のミキサー回路の構成を示す概要図である。（以下、図面は分布定数により示す。）図１に示すように、本実施形態のミキサー回路は、高周波信号１０９と局発信号１１０とを混合して中間周波信号１１１を出力するミキサー１０６と；例えばカップルドライン型バンドパスフィルタのような局発信号１１０をフィルタリングするフィルタ１０２とミキサー１０６との間に接続され、高周波信号１０９の１／４波長の長さを有する１／４波長線路１０３と；１／４波長線路１０３とミキサー１０６とを接続する線路に一端が接続され、高周波信号１０９の１／４波長の長さを有する開放線路である１／４波長開放線路１０４に他端が接続された終端抵抗１０５と、を有する終端抵抗付き開放線路と；を備える。
１／４波長線路１０３及び１／４波長開放線路１０４の長さは、例えば次のように算出する。ミキサー回路が誘電体基板上に構成されたとき、εｒをこの誘電体基板の誘電体の比誘電率、ｆを高周波信号の周波数とすると、波長λは以下の近似式（１）のように表される。
【数１】
0004805895.tif 000002
【００１１】
このλに１／４を掛けたものが１／４波長線路１０２及び１／４波長開放線路１０４の長さとなる。
【００１２】
次に、本実施形態の作用について述べる。高周波入力端子１０７から入力した高周波信号の一部が、ミキサー１０６を通過して１／４波長線路１０３方向に入力する。ここで、１／４波長線路１０３と１／４波長開放線路１０４は並列であるため、高周波信号の一部が１／４波長線路１０３に、残りが１／４波長開放線路１０４に入力する。
【００１３】
１／４波長線路１０３に入力した高周波信号はフィルタ１０２において反射し、再び１／４波長線路１０３に入力し、通過する。１／４波長線路１０３と１／４波長開放線路１０４は並列であるため、この通過した高周波信号の一部が１／４波長開放線路１０４に入力する。
【００１４】
１／４波長開放線路１０４は、開放部において端絡と等価であるため高周波信号は反射して戻る。一方、１／４波長開放線路１０４はこの戻ってくる高周波信号が終端抵抗１０５側に出力する方向においては開放と等価となる。このため、１／４波長開放線路１０４に入力した高周波信号は終端抵抗１０５において熱エネルギーに変換され、ミキサー１０６に再び入力することがない。
【００１５】
次に、本実施形態の応用例について述べる。図２は、本実施形態の応用例のミキサー回路の構成を示す概要図である。図２に示すように、本応用例のミキサー回路は、高周波信号１０９と局発信号１１０とを混合して中間周波信号１１１を出力するミキサー１０６と；局発信号１１０をフィルタリングするフィルタ１０２とミキサー１０６との間に接続され、高周波信号１０９の１／４波長の長さを有し、抵抗がＲΩである１／４波長線路１０３と；１／４波長線路１０３とミキサー１０６とを接続する線路に一端が並列に接続され、高周波信号１０９の１／４波長の長さを有する開放線路である１／４波長開放線路１０４に他端が接続されたｎ×ＲΩの終端抵抗３０５と、を有するｎ組の終端抵抗付き開放線路と；を備える。
図２にはｎが２のときの例を図示してある。すなわち、Ｒが５０であり、ｎが２のときは終端抵抗３０５の抵抗は１００Ωを用いる。
【００１６】
図３は、本実施形態のミキサー回路における局発信号の反射損失（点線により示す。実線は局発信号の挿入損失を表す。）を示したグラフである。図３に示すように、高周波帯域Ｂにおいて局発信号の反射損失が低くなる。
【００１７】
＜実施形態の効果＞
以上述べたように、本実施形態のミキサー回路は、１／４波長線路に並列に接続された終端抵抗付き開放線路の抵抗が反射した高周波信号を熱エネルギーに変換する。このため、本実施形態のミキサー回路は雑音指数の悪化を防止すると同時にミキサーの変換損失の悪化を防止することが可能であるという効果がある。
【００１８】
＜本発明の具体化における可能性＞
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００１９】
【図１】本実施形態のミキサー回路の構成を示す概要図である。
【図２】ミキサー回路の応用例の構成を示す概要図である。
【図３】本実施形態のミキサー回路における局発信号の反射損失を示したグラフである。
【図４】従来のミキサー回路の構成を示す概要図である。
【図５】従来のミキサー回路における局発信号の反射損失を示したグラフである。
【符号の説明】
【００２０】
１０１：局発信号の信号発振源、
１０２：フィルタ、
１０３：１／４波長線路、
１０４：１／４波長開放線路、
１０５：終端抵抗、
１０６：ミキサー。
【図１】
0004805895.tif 000003
【図２】
0004805895.tif 000004
【図３】
0004805895.tif 000005
【図４】
0004805895.tif 000006
【図５】
0004805895.tif 000007